(57)【要約】【課題】放送する権利を有さない事業者がデジタル放送番組を視聴者に提供することができ、或いは、放送する権利を有する事業者であっても割り当てられている伝送帯域以上にデジタル放送番組を視聴者に提供することができるようにすることを目的とする。【解決手段】放送波を利用せずに、記録媒体７を配布することによって、デジタル放送番組を視聴者に提供することができる。そのため、放送する権利を有さない事業者がデジタル放送番組を視聴者に提供することができ、或いは、放送する権利を有する事業者であっても割り当てられている伝送帯域以上にデジタル放送番組を視聴者に提供することができるという効果を奏する。【選択図】      図１
2004241941.tif 000002
【特許請求の範囲】
【請求項１】
表番組、データ放送コンテンツ、及び番組情報を多重化してデジタル放送番組として送出するデジタル放送送出システムと、
前記デジタル放送送出システムから送出したデジタル放送番組のデータを記録媒体に記録する記録装置と、
を有することにより、前記デジタル放送番組のデータを記録した記録媒体を視聴者に提供することを可能にするデジタル放送番組提供システム。
【請求項２】
請求項１に記載のデジタル放送番組提供システムであって、更に、前記データ放送コンテンツのうち実行可能期間があるコンテンツ部分に対して、当該実行可能な有効期間を設定する有効期間設定手段を有することにより、前記記録媒体に記録されているデータに係るデジタル放送番組の視聴者が前記有効期間を過ぎてデジタル放送による双方向通信を行うことを禁止することを可能にするデジタル放送番組提供システム。
【請求項３】
請求項１又は２に記載のデジタル放送番組提供システムであって、更に、
衛星による放送波を利用して受信したデジタル放送番組を表番組、データ放送コンテンツ、及び番組情報に分離する分離装置と、
前記分離装置によって分離した表番組のデータを蓄積する表番組蓄積装置と、
前記分離装置によって分離したデータ放送コンテンツを変更するデータ放送コンテンツ変更手段と、
前記分離装置によって分離した番組情報を変更する番組情報変更手段と、
を有することにより、前記蓄積してある表番組のデータ、前記変更したデータ放送コンテンツ、及び前記変更した番組情報を再多重化して再配信デジタル放送番組として前記記録装置に記録することを可能にするデジタル放送番組提供システム。
【請求項４】
請求項１乃至３のいずれか一項に記載のデジタル放送番組提供システムと、
前記記録媒体に記録されているデータを読み取って再生可能な再生装置と、
前記再生装置に接続されたデジタル放送用受信機と、
前記デジタル放送用受信装置に接続されたテレビモニタと、
を有することにより、前記デジタル放送番組提供システムによって作成したデジタル放送番組の再生テストを可能にするデジタル放送番組再生テストシステム。
【請求項５】
デジタル放送送出システムにて、表番組、データ放送コンテンツ、及び番組情報を多重化してデジタル放送番組として送出させる送出ステップと、
前記デジタル放送送出システムから送出したデジタル放送番組のデータを記録装置にて記録媒体に記録する記録ステップと、
を実行することにより、前記デジタル放送番組のデータを記録した記録媒体を視聴者に提供することを可能にするデジタル放送番組提供方法。
【請求項６】
請求項５に記載のデジタル放送番組提供方法であって、更に、前記データ放送コンテンツのうち実行可能期間があるコンテンツ部分に対して、当該実行可能な有効期間を設定する有効期間設定手段にて、前記記録媒体に記録されているデータに係るデジタル放送番組の視聴者が前記有効期間を過ぎてデジタル放送による双方向通信を行うことを禁止することを可能にするデジタル放送番組提供方法。
【請求項７】
請求項５又は６に記載のデジタル放送番組提供方法であって、更に、
衛星による放送波を利用して受信したデジタル放送番組を分離装置にて、表番組、データ放送コンテンツ、及び番組情報に分離する分離ステップと、
前記分離装置によって分離した表番組のデータを表番組蓄積装置にて蓄積する蓄積ステップと、
前記分離装置によって分離したデータ放送コンテンツをデータ放送コンテンツ変更手段にて変更する変更ステップと、
前記分離装置によって分離した番組情報を番組情報変更手段にて変更する番組情報変更ステップと、
を実行することにより、前記蓄積してある表番組のデータ、前記変更したデータ放送コンテンツ、及び前記変更した番組情報を再多重化して再配信デジタル放送番組として前記記録装置に記録することを可能にするデジタル放送番組提供方法。
【請求項８】
請求項１乃至３のいずれか一項に記載のデジタル放送番組提供システムと、
前記記録媒体に記録されているデータを読み取って再生可能な再生装置と、
前記再生装置に接続されたデジタル放送用受信機と、
前記デジタル放送用受信装置に接続されたテレビモニタと、
を利用することにより、前記デジタル放送番組提供システムによって作成したデジタル放送番組の再生テストを実行するデジタル放送番組再生テスト方法。
【発明の詳細な説明】
【０００１】
【発明の属する技術分野】
本発明は、視聴者にデジタル放送番組を提供する発明、及び、本放送前にデジタル放送番組の再生テストを行う発明に関するものである
【０００２】
【従来の技術】
近年、放送衛星（ＢＳ）又は通信衛星（ＣＳ）による放送波を利用してデジタル放送用受信機を有する視聴者にデジタル放送番組を提供することが可能となった。また、このデジタル放送は、放送送信設備からの衛星を介した無線伝送だけでなく、ケーブルテレビ網を介した有線伝送により、視聴者にデジタル放送番組を提供することもできる。
【０００３】
また、デジタル放送特有の機能として、通常の表番組（ドラマやスポーツ番組等）に関連した情報を文字や静止画等で提供するデータ放送のサービスがある。このデータ放送により、テレビの視聴者に対して、データ放送コンテンツ（文字、静止画、動画、プログラム等）を提供することができる。例えば、表番組としてプロ野球が放送されている場合には、データ放送コンテンツとして、打者の詳細情報（出身校、打者本人のコメント等）を視聴者に提供することができる。
【０００４】
更に、データ放送特有の機能として、インターネットによりＡＳＰ（Ａｐｐｌｉｃａｔｉｏｎ  Ｓｅｒｖｉｃｅ  Ｐｒｏｖｉｄｅｒ）との双方向通信が可能なサービスがある。例えば、データ放送によって視聴者に商品の販売情報を提供し（下り）、視聴者が気に入った商品があった場合には、テレビのリモコンを操作することで、デジタル放送用受信機からＡＳＰにアクセスして、商品の発注を行うことができる（上り）。これにより、例えば、表番組としてドラマを放送している場合に、これに付随してドラマの女優が着ているドレスの販売情報をデータ放送番組として放送すれば、視聴者がドラマを視聴していて女優が着ているドレスを購入したいと考えた場合に、テレビのリモコンを操作するだけでドレスを発注することができる。また、データ放送によりクイズ番組を放送することで、視聴者がリモコンを操作してクイズに答えることができる。
【０００５】
ここで、図８及び図９を用いて、従来のテレビ事業者におけるデジタル放送番組の作成から放送までを説明する。図８は、従来のデジタル放送番組提供システムの構成及び視聴者のデジタル放送用受信機及びテレビモニタを示した図である。図９は、放送事業者がデジタル放送番組を作成して、視聴者に提供し、視聴者が視聴するまでの流れを示したフロー図である。
【０００６】
図８に示すように、放送事業者側には、デジタル放送番組提供システムが設置されている。このデジタル放送番組提供システムは、データ放送コンテンツを制作するコンピュータから成るデータ放送コンテンツ制作システム１、データ放送コンテンツや表番組等を多重化してデジタル放送番組を制作及び送出するデジタル放送送出システム２、放送衛星（ＢＳ）又は通信衛星（ＣＳ）にデジタル放送番組の電波を送信する送信装置１４によって構成されている。
【０００７】
また、デジタル放送送出システム２は、データ放送コンテンツ制作システム１から得たデータ放送コンテンツに所定の処理を施すためのデータ放送送出システム２０、データ放送に連動する表番組がある場合に連動制御を行う連動制御部２１、表番組のデータを記録している表番組記録部２２、放送のスケジュールやタイミング等の番組情報を生成する番組情報生成部２３、並びに、表番組、データ放送コンテンツ、及び番組情報を多重化して外部に送信する多重化処理部２４を有している。
【０００８】
更に、データ放送送出システム２０は、データ放送スケジュール管理部２００、データ放送素材蓄積部２０１、カルーセル送出部２０２、イベントメッセージ挿入部２０３、ＰＥＳ（Ｐａｃｋｅｔｉｚｅｄ  Ｅｌｅｍｅｎｔａｒｙ  Ｓｔｅａｍ）番組素材蓄積部２０４、及びストリーム送出部２０５によって構成されている。
【０００９】
このうち、データ放送スケジュール管理部２００は、データ放送のスケジュールを管理し、データ放送素材蓄積部２０１、ＰＥＳ番組素材蓄積部２０４、及びイベントメッセージ挿入部２０３に対して素材や情報を送出させるタイミングを制御するものである。データ放送素材蓄積部２０１は、データ放送コンテンツのうち、文字情報や静止画情報等のＢＭＬ（Ｂｒｏａｄｃａｓｔ  Ｍａｒｋ−ｕｐ  Ｌａｎｇｕａｇｅ）ファイルやモノメディアファイルによって構成される素材を蓄積するものである。また、ＰＥＳ番組素材蓄積部２０４は、データ放送コンテンツのうち、動画等のＭＰＥＧ（Ｍｏｖｉｎｇ  Ｐｉｃｔｕｒｅ  Ｅｘｐｅｒｔｓ  Ｇｒｏｕｐ）２形式の素材や、ＡＡＣ（Ａｄｖａｎｃｅｄ  Ａｕｄｉｏ  Ｃｏｄｉｎｇ）音声方式による音声を蓄積するものである。イベントメッセージ挿入部２０３は、データ放送の任意の時点に、データ放送を制御する必要が生じたとき、イベントメッセージ信号を挿入するものである。
【００１０】
これにより、データ放送コンテンツ制作システム１によって制作されたデータ放送コンテンツがデータ放送送出システム２へ入力されると、データ放送コンテンツのうち、ＢＭＬファイル、又はモノメディアファイルによって構成される素材は、データ放送素材蓄積部２０１に蓄積される。また、データ放送コンテンツのうち、ＭＰＥＧ１形式などの映像素材や音声素材は、ＰＥＳ番組素材蓄積部２０４に蓄積される。また、データ放送スケジュール管理部２００では、データ放送スケジュールに従って、データ放送素材蓄積部２０１からカルーセル送出部２０２へ素材を送出する指示を行い、ＰＥＳ番組素材蓄積部２０４からストリーム送出部２０５へ素材を送出する指示を行う。また、視聴中のデータ放送番組に対して、メッセージや制御命令として用いるイベントメッセージは、データ放送スケジュール管理部２００からの指示により、イベントメッセージ挿入部２０３からカルーセル送出部２０２へ送出される。
【００１１】
カルーセル送出部２０２は、データ放送コンテンツのうち、ＢＭＬファイル、又はモノメディアファイルによって構成される素材を周期的に繰り返して多重化処理部２４に出力するものである。このカルーセル送出部２０２では、Ｃａｒｏｕｓｅｌ（回転木馬）方式により、データ放送コンテンツをある期間で繰り返して何度も送出させている。これにより、視聴者側でテレビを見ると、一定期間で同じ情報が周期的に繰り返されて表示され、あたかも回転木馬を見ているように見えることから、この名が付いている。
【００１２】
また、ストリーム送出部２０５は、データ放送コンテンツのうち、ＭＰＥＧ（Ｍｏｖｉｎｇ  Ｐｉｃｔｕｒｅ  Ｅｘｐｅｒｔｓ  Ｇｒｏｕｐ）２形式などの映像素材や音声素材を多重処理部に出力するものである。このストリーム送出部２０５では、映像情報等のパケット情報を常に一定時間で一定量送出させている。これにより、視聴者側でテレビを見ると、動画や音声を次々と流れて視聴することができる。
【００１３】
一方、一般家庭でデジタル放送番組を視聴するには、図８に示すように、デジタル放送番組を受信するデジタル放送用受信機９と、これに接続されているテレビモニタ１０が必要である。
【００１４】
続いて、図９を用い、従来から放送事業者がデジタル放送番組を視聴者に提供してきた動作を説明する。
【００１５】
まず、放送事業者は、データ放送コンテンツ制作システム１を用いてデータ放送コンテンツを作成する（ステップＳ１０１）。そして、デジタル放送送出システム２により番組編成を行うとともに（ステップＳ１０２）、表番組、データ放送コンテンツ、及び番組情報を多重化させて（ステップＳ１０３）、送信装置１４からデジタル放送番組のデータを送信する（ステップＳ１０４）。これにより、デジタル放送番組の放送が開始され（ステップＳ１０５）、番組終了まで放映される（ステップＳ１０６）。一方、視聴者側では、デジタル放送用受信機９の電源をＯＮにしてデジタル放送の受信を開始する（ステップＳ１１１）。そして、視聴者がリモコンで選局を行って（ステップＳ１１２）、視聴を開始し（ステップＳ１１３）、番組終了により視聴も終了することになる（ステップＳ１１４）。
【００１６】
ところで、テレビ事業者は、デジタル放送（データ放送を含む）の本放送前に、デジタル放送番組（デジタル放送コンテンツを含む）が一般家庭のテレビできれいに映るか否かの映像（音声）テストと、データ放送コンテンツの動作テストをテレビ局内等で行うことがある。図１０乃至図１２は、従来のコンテンツテストシステムを示した図である。
【００１７】
その１として、図１０に示すように、従来のコンテンツテストシステムは、図８に示したデータ放送コンテンツ制作システム１とデジタル放送送出システム２を有し、更に、デジタル放送送出システム２から送出したデジタル放送番組をテスト専用のデータに変換するデータ変換装置７０と、この変換したデータを受信するテスト専用受信機７１と、一般のテレビモニタ１０を有している。このようなシステムにより、データ放送送出システム２に対して送信するまでは本放送で用いる形態と同様であるが、テスト専用受信機７１へ入力するため、コンテンツデータを変換するためのデータ変換装置７０により変換し、ＴＶモニタ１０へ表示させてテストを行う。
【００１８】
また、その２として、図１１に示すように、従来のコンテンツテストシステムは、その１と同様に、データ放送コンテンツ制作システム１とデジタル放送送出システム２を有するが、擬似的に汎用のデジタル放送用受信機９にデジタル放送番組を送信することができる疑似送信設備８０と、汎用のデジタル放送用受信機９と、一般のテレビモニタ１０を有している。このようなシステムにより、データ放送コンテンツ制作システム１で作成されたコンテンツを、データ放送送出システム２に対して送信するまでは本放送で用いる形態と同様であるが、汎用のデジタル放送用受信機９を用いることが特徴で、その入力インタフェースをとるために本放送の送信設備とは異なり、汎用のデジタル放送用受信機９へ直接入力可能な信号送出機能を持つ擬似送信設備８０によってインタフェースが取られ、ＴＶモニタ１０へ表示させてテストを行う。
【００１９】
また、その３として、図１２に示すように、汎用のパソコン（パーソナル・コンピュータ）９０に、データ放送コンテンツ制作プログラム９０１と、データ放送コンテンツテストプログラム９０２をインストールして、コンピュータ単体の処理により、テストを行うこともできる。
【００２０】
【発明が解決しようとする課題】
しかしながら、デジタル放送は、有線、無線に拘わらず、放送する権利を有さない事業者に対して自由に放送することを禁止している。また、放送する権利を有する事業者にあっても、番組提供にあたっては有限の伝送帯域を有効に利用するため、放送スケジュールにより放送時間を分けて運用している。放送事業者は、視聴者の視聴特性に基づき視聴率が最大になるような番組編成と放送スケジュールを組むが、他の放送事業者との競合もあり、必ずしも視聴される保証はない。
【００２１】
本発明は、上述した事情に鑑みてなされたものであり、放送する権利を有さない事業者がデジタル放送番組を視聴者に提供することができ、或いは、放送する権利を有する事業者であっても割り当てられている伝送帯域以上にデジタル放送番組を視聴者に提供することができるようにすることを目的とする。
【００２２】
【課題を解決するための手段】
上記目的を達成するため、請求項１に係る発明は、表番組、データ放送コンテンツ、及び番組情報を多重化してデジタル放送番組として送出するデジタル放送送出システムと、前記デジタル放送送出システムから送出したデジタル放送番組のデータを記録媒体に記録する記録装置と、を有することにより、前記デジタル放送番組のデータを記録した記録媒体を視聴者に提供することを可能にするデジタル放送番組提供システムである。
【００２３】
ここで、本発明の「記録媒体」は、ＣＤ−ＲＯＭ（Ｒ，ＲＷ）（Ｃｏｍｐａｃｔ  Ｄｉｓｃ  Ｒｅａｄ  Ｏｎｌｙ  Ｍｅｍｏｒｙ（ＣＤ  Ｒｅｃｏｒｄａｂｌｅ，ＣＤ  Ｒｅｗｒｉｔａｂｌｅ））、ＤＶＤ−ＲＯＭ（ＲＡＭ，Ｒ，ＲＷ）（Ｄｉｇｉｔａｌ  Ｖｅｒｓａｔｉｌｅ  Ｄｉｓｋ  Ｒｅａｄ  Ｏｎｌｙ  Ｍｅｍｏｒｙ（ＤＶＤ  Ｒａｎｄｏｍ  Ａｃｃｅｓｓ  Ｍｅｍｏｒｙ，ＤＶＤ  Ｒｅｃｏｒｄａｂｌｅ，ＤＶＤ  Ｒｅｗｒｉｔａｂｌｅ））、Ｄ−ＶＨＳテープ等が該当する。
【００２４】
請求項２に係る発明は、請求項１に記載のデジタル放送番組提供システムであって、更に、前記データ放送コンテンツのうち実行可能期間があるコンテンツ部分に対して、当該実行可能な有効期間を設定する有効期間設定手段を有することにより、前記記録媒体に記録されているデータに係るデジタル放送番組の視聴者が前記有効期間を過ぎてデジタル放送による双方向通信を行うことを禁止することを可能にするデジタル放送番組提供システムである。
【００２５】
請求項３に係る発明は、請求項１又は２に記載のデジタル放送番組提供システムであって、更に、衛星による放送波を利用して受信したデジタル放送番組を表番組、データ放送コンテンツ、及び番組情報に分離する分離装置と、前記分離装置によって分離した表番組のデータを蓄積する表番組蓄積装置と、前記分離装置によって分離したデータ放送コンテンツを変更するデータ放送コンテンツ変更手段と、前記分離装置によって分離した番組情報を変更する番組情報変更手段と、を有することにより、前記蓄積してある表番組のデータ、前記変更したデータ放送コンテンツ、及び前記変更した番組情報を再多重化して再配信デジタル放送番組として前記記録装置に記録することを可能にするデジタル放送番組提供システムである。
【００２６】
請求項４に係る発明は、請求項１乃至３のいずれか一項に記載のデジタル放送番組提供システムと、前記記録媒体に記録されているデータを読み取って再生可能な再生装置と、前記再生装置に接続されたデジタル放送用受信機と、前記デジタル放送用受信装置に接続されたテレビモニタと、を有することにより、前記デジタル放送番組提供システムによって作成したデジタル放送番組の再生テストを可能にするデジタル放送番組再生テストシステムである。
【００２７】
請求項５に係る発明は、デジタル放送送出システムにて、表番組、データ放送コンテンツ、及び番組情報を多重化してデジタル放送番組として送出させる送出ステップと、前記デジタル放送送出システムから送出したデジタル放送番組のデータを記録装置にて記録媒体に記録する記録ステップと、を実行することにより、前記デジタル放送番組のデータを記録した記録媒体を視聴者に提供することを可能にするデジタル放送番組提供方法である。
【００２８】
請求項６に係る発明は、請求項５に記載のデジタル放送番組提供方法であって、更に、前記データ放送コンテンツのうち実行可能期間があるコンテンツ部分に対して、当該実行可能な有効期間を設定する有効期間設定手段にて、前記記録媒体に記録されているデータに係るデジタル放送番組の視聴者が前記有効期間を過ぎてデジタル放送による双方向通信を行うことを禁止することを可能にするデジタル放送番組提供方法である。
【００２９】
請求項７に係る発明は、請求項５又は６に記載のデジタル放送番組提供方法であって、更に、衛星による放送波を利用して受信したデジタル放送番組を分離装置にて、表番組、データ放送コンテンツ、及び番組情報に分離する分離ステップと、前記分離装置によって分離した表番組のデータを表番組蓄積装置にて蓄積する蓄積ステップと、前記分離装置によって分離したデータ放送コンテンツをデータ放送コンテンツ変更手段にて変更する変更ステップと、前記分離装置によって分離した番組情報を番組情報変更手段にて変更する番組情報変更ステップと、を実行することにより、前記蓄積してある表番組のデータ、前記変更したデータ放送コンテンツ、及び前記変更した番組情報を再多重化して再配信デジタル放送番組として前記記録装置に記録することを可能にするデジタル放送番組提供方法である。
【００３０】
請求項８に係る発明は、請求項１乃至３のいずれか一項に記載のデジタル放送番組提供システムと、前記記録媒体に記録されているデータを読み取って再生可能な再生装置と、前記再生装置に接続されたデジタル放送用受信機と、前記デジタル放送用受信装置に接続されたテレビモニタと、を利用することにより、前記デジタル放送番組提供システムによって作成したデジタル放送番組の再生テストを実行するデジタル放送番組再生テスト方法である。
【００３１】
【発明の実施の形態】
以下、図面を用いて、本発明の実施形態を説明する。
【００３２】
〔第１の実施形態〕
以下、図１乃至図３を用いて、本発明の第１の実施形態を説明する。
【００３３】
図１に示すように、番組提供事業者（放送する権利を有さない事業者又は放送する権利を有する放送事業者）側には、デジタル放送番組提供システムが設置されている。このデジタル放送番組提供システムは、データ放送コンテンツを制作するコンピュータから成るデータ放送コンテンツ制作システム１、データ放送コンテンツや表番組等を多重化してデジタル放送番組を制作及び送出するデジタル放送送出システム２を有している点が従来と同様であるが、デジタル放送送出システム２から送出したデジタル放送番組のデータをＤＶＤ−Ｒ等の記録媒体に書き込むデジタル記録媒体書込装置３を有している点が異なる。
【００３４】
ここで、改めて、第１の実施形態に係るデジタル放送番組提供システムの構成について説明する。
【００３５】
本実施形態のデジタル放送番組提供システムは、データ放送コンテンツを制作するコンピュータから成るデータ放送コンテンツ制作システム１、データ放送コンテンツや表番組等を多重化してデジタル放送番組を制作及び送出するデジタル放送送出システム２、デジタル記録媒体書込装置３によって構成されている。
【００３６】
デジタル放送送出システム２は、データ放送コンテンツ制作システム１から得たデータ放送コンテンツに所定の処理を施すためのデータ放送送出システム２０、データ放送に連動する表番組がある場合に連動制御を行う連動制御部２１、表番組のデータを記録している表番組記録部２２、放送のスケジュールやタイミング等の番組情報を生成する番組情報生成部２３、並びに、表番組、データ放送コンテンツ、及び番組情報を多重化して外部に送信する多重化処理部２４を有している。
【００３７】
なお、番組情報生成部２３は、デジタル放送用受信機９において、デジタル記録媒体再生装置８からの入力信号再生に必要十分な番組情報（ＰＳＩ／ＳＩ）を生成し、デジタル記録媒体の再生時にあって、途中再生時であっても問題なく再生可能な送出周期の送出機能を持つ。ここで、ＰＳＩ（Ｐｒｏｇｒａｍ  Ｓｐｅｃｉｆｉｃ  Ｉｎｆｏｒｍａｔｉｏｎ：番組特定情報）は、所要の番組を選択するために必要な情報で、４つのテーブルからなり、ＭＰＥＧシステム規格として省令で規定されている。また、ＳＩ（Ｓｅｒｖｉｃｅ  Ｉｎｆｏｒｍａｔｉｏｎ：番組配列情報）は、放送データストリームの配分システム、内容、スケジュール、タイミング等を記述するデジタルデータであり、独自に定義された拡張部分とともにＰＳＩを含む。
【００３８】
更に、データ放送送出システム２０は、データ放送スケジュール管理部２００、データ放送素材蓄積部２０１、カルーセル送出部２０２、イベントメッセージ挿入部２０３、ＰＥＳ（Ｐａｃｋｅｔｉｚｅｄ  Ｅｌｅｍｅｎｔａｒｙ  Ｓｔｅａｍ）番組素材蓄積部２０４、及びストリーム送出部２０５によって構成されている。
【００３９】
このうち、データ放送スケジュール管理部２００は、データ放送のスケジュールを管理し、データ放送素材蓄積部２０１、ＰＥＳ番組素材蓄積部２０４、及びイベントメッセージ挿入部２０３に対して素材や情報を送出させるタイミングを制御するものである。データ放送素材蓄積部２０１は、データ放送コンテンツのうち、文字情報や静止画情報等のＢＭＬ（Ｂｒｏａｄｃａｓｔ  Ｍａｒｋ−ｕｐ  Ｌａｎｇｕａｇｅ）ファイルやモノメディアファイルによって構成される素材を蓄積するものである。また、ＰＥＳ番組素材蓄積部２０４は、データ放送コンテンツのうち、動画等のＭＰＥＧ（Ｍｏｖｉｎｇ  Ｐｉｃｔｕｒｅ  Ｅｘｐｅｒｔｓ  Ｇｒｏｕｐ）２形式の素材や、ＡＡＣ（Ａｄｖａｎｃｅｄ  Ａｕｄｉｏ  Ｃｏｄｉｎｇ）音声方式による音声を蓄積するものである。イベントメッセージ挿入部２０３は、データ放送の任意の時点に、データ放送を制御する必要が生じたとき、イベントメッセージ信号を挿入するものである。
【００４０】
これにより、データ放送コンテンツ制作システム１によって制作されたデータ放送コンテンツがデータ放送送出システム２へ入力されると、データ放送コンテンツのうち、ＢＭＬファイル、又はモノメディアファイルによって構成される素材は、データ放送素材蓄積部２０１に蓄積される。また、データ放送コンテンツのうち、ＭＰＥＧ１形式などの映像素材や音声素材は、ＰＥＳ番組素材蓄積部２０４に蓄積される。また、データ放送スケジュール管理部２００では、データ放送スケジュールに従って、データ放送素材蓄積部２０１からカルーセル送出部２０２へ素材を送出する指示を行い、ＰＥＳ番組素材蓄積部２０４からストリーム送出部２０５へ素材を送出する指示を行う。また、視聴中のデータ放送番組に対して、メッセージや制御命令として用いるイベントメッセージは、データ放送スケジュール管理部２００からの指示により、イベントメッセージ挿入部２０３からカルーセル送出部２０２へ送出される。
【００４１】
カルーセル送出部２０２は、データ放送コンテンツのうち、ＢＭＬファイル、又はモノメディアファイルによって構成される素材を周期的に繰り返して多重化処理部２４に出力するものである。このカルーセル送出部２０２では、Ｃａｒｏｕｓｅｌ（回転木馬）方式により、データ放送コンテンツをある期間で繰り返して何度も送出させている。これにより、視聴者側でテレビを見ると、一定期間で同じ情報が周期的に繰り返されて表示され、あたかも回転木馬を見ているように見えることから、この名が付いている。
【００４２】
また、ストリーム送出部２０５は、データ放送コンテンツのうち、ＭＰＥＧ（Ｍｏｖｉｎｇ  Ｐｉｃｔｕｒｅ  Ｅｘｐｅｒｔｓ  Ｇｒｏｕｐ）２形式などの映像素材や音声素材を多重処理部に出力するものである。このストリーム送出部２０５では、映像情報等のパケット情報を常に一定時間で一定量送出させている。これにより、視聴者側でテレビを見ると、動画や音声を次々と流れて視聴することができる。
【００４３】
また、デジタル記録媒体書込装置３は、デジタル放送送出システム２から送出したデジタル放送番組のデータを、図８に示す送信装置１４で衛星に送信せずに、ＤＶＤ−Ｒ等の記録媒体７に書き込む装置であり、汎用或いは業務用のＤＶＤレコーダ等を使用してもよい。
【００４４】
ところで、一般家庭でデジタル放送番組を視聴するには、図１に示すように、デジタル記録媒体再生装置８と、これに接続されているデジタル放送番組を受信するデジタル放送用受信機９と、更にこれに接続されているテレビモニタ１０が必要である。デジタル記録媒体再生装置８は、例えば、汎用のＤＶＤプレーヤである。これらの詳細構成図は、図２に示している。
【００４５】
図２に示すように、デジタル放送用受信機９は、アンテナに接続されたチューナ復調部９ａと、これに接続されたＭＰＥＧデコーダ９ｂと、これに接続されたＤ／Ａ変換部９ｃによって構成されている。また、チューナ復調部９ａとＭＰＥＧデコーダ９ｂの間には、デジタル記録媒体再生装置８が接続されており、このデジタル記録媒体再生装置８によって再生したデータをＭＰＥＧデコーダ９ｂに出力して、ＤＶＤ−Ｒ等の記録媒体に記録されている番組をテレビモニタ１０で映し出すことができる。
【００４６】
続いて、図３を用い、本実施形態に係るデジタル放送番組の提供の動作を説明する。
【００４７】
まず、番組提供事業者は、データ放送コンテンツ制作システム１を用いてデータ放送コンテンツを制作する（ステップＳ１）。そして、データ放送送出システム２０によりデータ符号化変換が行われ、また表番組を用いる場合には、その信号を表番組記録部２２により多重化処理部２４に出力してＴＳ（Ｔｒａｎｓｐｏｒｔ  Ｓｔｒｅａｍ）化し、更に番組情報を番組情報生成部２３により多重化処理部２４に出力して再び多重化する（ステップＳ２）。尚、ＴＳ（Ｔｒａｎｓｐｏｒｔ  Ｓｔｒｅａｍ）は、動画（映像）の圧縮符号として知られているＭＰＥＧは、圧縮時の形式がＰＥＳ形式で行われるが、その信号を応用するときにそのデバイスに応じて種々の形式をもっている。たとえば、ＤＶＤ等のパッケージメディアに蓄積されるときの形式（ＰＳ：Ｐｒｏｇｒａｍ  Ｓｔｒｅａｍ）や伝送を行うときのＴＳ形式がある。ＴＳでは、映像信号や音声信号をリアルタイムに伝送し復元するための技術的な仕組みが盛り込まれている。
【００４８】
次に、デジタル記録媒体書込装置３を用いて、上記多重化させて完成したデジタル放送番組のデータを記録媒体に書き込む（ステップＳ３）。そして、この記録媒体を流通過程に乗せて視聴者に配布（提供）する（ステップＳ４）。
【００４９】
一方、視聴者側では、デジタル放送用受信機９の電源をＯＮにしてデジタル放送の受信を開始する（ステップＳ１１）。そして、視聴者はデジタル記録媒体再生装置８の電源をＯＮにし（ステップＳ１２）、配布された記録媒体をデジタル記録媒体再生装置８に入れて再生させる（ステップＳ１３）。これにより、視聴者の視聴が開始し（ステップＳ１４）、番組終了により視聴も終了することになる（ステップＳ１５）。
【００５０】
以上説明したように、本実施形態によれば、放送波を利用せずに、記録媒体を配布することによって、デジタル放送番組を視聴者に提供することができる。そのため、放送する権利を有さない事業者がデジタル放送番組を視聴者に提供することができ、或いは、放送する権利を有する事業者であっても割り当てられている伝送帯域以上にデジタル放送番組を視聴者に提供することができるという効果を奏する。
【００５１】
〔第２の実施形態〕
以下、図１及び図４を用いて、本発明の第２の実施形態を説明する。
【００５２】
本実施形態は、第１の実施形態に対し、更に、データ放送コンテンツ制作システム１に、データ放送コンテンツのうち実行可能期間があるコンテンツ部分に対して、実行可能な有効期間を設定する有効期間設定機能を追加したことが特徴である。
【００５３】
〔従来の技術〕欄で示したように、表番組がドラマの場合に女優が着ているドレスの発注をする場合には、ＡＳＰにおいてドレスを受注する期間が定められていたり、或いは、表番組又はデータ放送番組がクイズ番組の場合には、クイズの答えを受け付ける期間が定められている。このような場合には、視聴者はいつでも再生して番組を見ることができるため、オンエア放送の場合と異なり、ドレスの受注期間やクイズに答える期間が過ぎている事態が生じ得る。そこで、本実施形態では、データ放送コンテンツの制作段階でデータ放送コンテンツに有効期限情報を埋め込み、視聴者がデータ放送によるサービスの有効期間外でサービスの要求を行うことを防止する。尚、本実施形態の構成は、有効期限設定機能が付加された以外は、第１の実施形態と同様であるため、同一構成には同一符号を付して、その説明を省略する。
【００５４】
続いて、図４を用い、本実施形態に係るデジタル放送番組の提供の動作を説明する。尚、第１の実施形態と同様の処理については、同一符号を付して、その説明を簡略化する。
【００５５】
まず、番組提供事業者は、データ放送コンテンツ制作システム１を用いてデータ放送コンテンツを制作する（ステップＳ１）。この際、データ放送コンテンツ制作システム１が、データ放送コンテンツのうちに有効期限があるコンテンツ部分があるか否かを判断する（ステップＳ２１）。そして、有効期限があるコンテンツ部分が存在すると判断した場合には（有）、データ放送コンテンツ制作システム１が自動的に有効期限（専用プログラム）を設定する（ステップＳ２２）。一方、有効期限があるコンテンツ部分が存在しないと判断した場合には（無）、有効期限を設定せずに次の処理に進む。
【００５６】
次に、データ放送コンテンツ等を多重化し（ステップＳ２）、多重化させて完成したデジタル放送番組のデータを記録媒体に書き込み（ステップＳ３）、この記録媒体を流通過程に乗せて視聴者に配布（提供）する（ステップＳ４）。
【００５７】
一方、視聴者側では、デジタル放送用受信機９の電源をＯＮにしてデジタル放送の受信を開始する（ステップＳ１１）。そして、視聴者はデジタル記録媒体再生装置８の電源をＯＮにし（ステップＳ１２）、配布された記録媒体をデジタル記録媒体再生装置８に入れて再生させる（ステップＳ１３）。
【００５８】
また、記録媒体の再生中に、有効期限に係る専用プログラムの実行によって、有効期限内か否かを判定する（ステップＳ３１）。この場合、有効期限情報（専用プログラム）はデータ放送コンテンツのデータとして、デジタル記録媒体７に書込まれているため、デジタル放送受信機９の所有している現在時刻を取得して有効期限を判定する。そして、有効期限内であればデータ放送コンテンツを再生することで、視聴者が視聴を開始し（ステップＳ１４）、有効期限外であればデータ放送コンテンツを再生しないため、視聴者の視聴は終了する（ステップＳ１５）。尚、データ放送コンテンツの一部が有効期限を有するコンテンツの場合には、有効期限に関係ないコンテンツ部分のみを再生してもよい。また、有効期限外であってもコンテンツを再生できるが、クイズの答え等をインターネット経由で双方向処理センタ〔双方向トランザクション（Ｔｒａｎｓａｃｔｉｏｎ）処理センタ〕に送信できないようにしてもよい。
【００５９】
以上説明したように本実施形態によれば、記録媒体に記録されているデータに係るデジタル放送番組の視聴者が有効期間を過ぎてデジタル放送による双方向通信を行うことを禁止することができる。このため、視聴者が、データ放送コンテンツにより、ドレスを発注したにも拘わらずドレスが送られて来なかったり、クイズに答えても双方向処理センタから何も応答がない等、視聴者が困惑する事がなくなるという効果を奏する。
【００６０】
〔第３の実施形態〕
以下、図５及び図６を用いて、本発明の第２の実施形態を説明する。
【００６１】
本実施形態は、第１又は第２の実施形態に対し、更に、衛星による放送波を利用して受信したデジタル放送番組を表番組、データ放送コンテンツ、及び番組情報に分離する分離装置５と、この分離装置５によって分離した表番組のデータを蓄積する表番組・番組情報蓄積装置４を追加し、しかも、データ放送送出システム２０にて、上記分離装置５によって分離したデータ放送コンテンツを変更し、番組情報生成部２３にて、上記分離装置５によって分離した番組情報を変更することが特徴である。
【００６２】
第２の実施形態では、有効期間を過ぎたデータ放送コンテンツの実行を不可能としたが、本実施形態では、データ放送コンテンツのデータを変更することで、視聴者に一定期間経過後にデジタル放送番組のデータが書き込まれた記録媒体が配布された場合でも、視聴者がデジタル放送コンテンツのサービスを受けることができるようにした発明である。尚、本実施形態の構成（ハードウェア構成）は、データ放送コンテンツ制作システム１の代わりにデータ放送コンテンツ再生システム６を用い、更に、表番組・番組情報蓄積装置４，及び分離装置５を付加した以外は、第１の実施形態と同様であるため、同一構成には同一符号を付して、その説明を省略する。
【００６３】
分離装置５は、不図示のデジタル放送用アンテナで受信したデジタル放送番組を、表番組、データ放送コンテンツ、及び番組情報に分離する装置である。また、表番組・番組情報蓄積装置４は、分離装置５から得た表番組及び番組情報の各データを一時的に蓄積する装置である。データ放送コンテンツ再生システム６は、完成されているデータ放送コンテンツを再生して、データ放送送出システム２０に送信するものである。これにより、分離装置５によって分離した後の表番組及び番組情報を表番組・番組情報蓄積装置４に一時的に蓄積し、データ放送コンテンツのデータをデータ放送コンテンツ再生システム６に送信することができる。また、データ放送送出システム２０では、データ放送コンテンツ制作システム１からデータ放送コンテンツを受信する場合と同様に、データ放送コンテンツ再生システム６から送られて来るデータ放送コンテンツのうち、文字情報や静止画情報等のＢＭＬファイルやモノメディアファイルによって構成される素材をデータ放送素材蓄積部２０１に蓄積し、また、データ放送コンテンツのうち、動画等のＭＰＥＧ２形式の素材や、ＡＡＣ音声方式による音声をＰＥＳ番組素材蓄積部２０４に蓄積する。
【００６４】
また、表番組・番組情報蓄積装置４に蓄積されている表番組及び番組情報は、それぞれ、連動制御部２１によって、表番組記録部２２、及び番組情報生成部２３に送信される。番組情報生成部２３では、オンエア以降に記録媒体を配布しても視聴者に有用となるべく番組情報を変更して、多重化処理部２４に送信する。表番組記録部２２に記録した表番組の内容は変更しないで、多重化処理部２４に送信する。
【００６５】
一方、データ放送送出システム２０では、オンエア以降に記録媒体を配布しても視聴者に有用となるべく、データ放送コンテンツ再生システム６から得たデータ放送コンテンツのデータを変更して、多重化処理部２４に送信する。例えば、オンエアの際に、クイズの答えを受け付ける期間を設定していた場合に、答えを受け付ける期間を変更したり、或いは、クイズを出すコンテンツ自体を削除する。
【００６６】
続いて、図６を用い、本実施形態に係るデジタル放送番組の提供の動作を説明する。尚、ここでは、番組提供事業者が放送する権利を有する放送事業者であって、自社でデジタル放送番組をオンエア放送すると共に、このオンエア放送したデジタル放送番組を蓄積しておく場合について説明する。
【００６７】
まず、番組提供事業者は、オンエア放送によりデジタル放送番組の放映を開始する（ステップＳ４１）。また、これに伴って、デジタル放送番組を蓄積する（ステップＳ４２）。この蓄積は、図５に示すように、番組提供事業者が自ら放送した番組を、不図示のデジタル放送アンテナで受信して分離装置５に取り込み、表番組及び番組情報を表番組・番組情報蓄積装置４に蓄積し、また、データ放送コンテンツをデータ放送コンテンツ再生システムに送信する。一方、視聴者はオンエアされているデジタル放送番組の視聴を開始する（ステップＳ５１）。そして、デジタル放送番組の放映が終了すると（ステップＳ４３）、これに伴ってデジタル放送番組の蓄積も終了し（ステップＳ４４）、視聴者の視聴も終了する（ステップＳ５２）。但し、視聴者は、オンエアされたデジタル放送番組を視聴していなくてもよい。
【００６８】
次に、番組提供事業者は、オンエア以降に記録媒体を配布しても視聴者に有用となるべく、新たなデータ放送コンテンツを制作する（ステップＳ１）。その後の番組提供事業者及び視聴者の動作（処理）は、第１の実施形態（図３）と同様であるため、その説明を省略する（ステップＳ２〜Ｓ４，Ｓ１１〜Ｓ１５）。
【００６９】
以上説明したように、本実施形態によれば、一時的に蓄積してある表番組のデータ、変更したデータ放送コンテンツ、及び変更した番組情報を再多重化して再配信デジタル放送番組として前記記録装置に記録するこができる。これにより、視聴者に対して、オンエア以降にデジタル放送番組のデータが書き込まれた記録媒体が配布された場合でも、新たなデータ放送コンテンツによって、視聴者がデジタル放送コンテンツのサービスを受けることができるという効果を奏する。
【００７０】
〔第４の実施形態〕
以下、図７を用いて、本発明の第２の実施形態を説明する。
【００７１】
本実施形態は、第１乃至第３の実施形態に示したデジタル放送番組提供システムを利用して、本放送前にデジタル放送コンテンツの映像（音声）テストを行う場合を示したものである。
【００７２】
図７に示すように、本実施形態本発明におけるデータ放送コンテンツテストシステムは、第１の実施形態と同じデータ放送コンテンツ制作システム１、デジタル放送送出システム２、デジタル記録媒体書込装置３、及びデジタル記録媒体７、並びに、第１の実施形態では視聴者が所有していたデジタル記録媒体再生装置８、デジタル放送用受信機９、及びテレビモニタ１０によって構成される。これにより、テスト対象放送コンテンツがデジタル記録媒体７に記録され、汎用のデジタル記録媒体再生装置８と汎用のデジタル放送受信機９によって再生される形態をとることから、従来のように（図１０〜図１２）、専用のテスト装置７０，７１，８０，９０を用意する必要がなく、安価にデジタル放送コンテンツのテスト（試験）を行うことができるという効果を奏する。
【００７３】
【発明の効果】
以上説明したように本発明によれば、視聴者に対して放送波を利用せずに記録媒体を配布することによって、デジタル放送番組を視聴者に提供することができる。そのため、放送する権利を有さない事業者がデジタル放送番組を視聴者に提供することができ、或いは、放送する権利を有する事業者であっても割り当てられている伝送帯域以上にデジタル放送番組を視聴者に提供することができるという効果を奏する。
【図面の簡単な説明】
【図１】本発明の第１の実施形態に係るデジタル放送提供システムの構成、及び視聴者がデジタル放送の受信に必要な装置を示した図。
【図２】視聴者がデジタル放送の受信に必要な装置の構成図。
【図３】第１の実施形態の動作を示したフロー図。
【図４】第２の実施形態の動作を示したフロー図。
【図５】第３の実施形態に係るデジタル放送提供システムの構成、及び視聴者がデジタル放送の受信に必要な装置を示した図。
【図６】第３の実施形態の動作を示したフロー図。
【図７】第４の実施形態に係るデジタル放送番組再生テストシステムの構成図。
【図８】従来のデジタル放送番組提供システムの構成、及び視聴者がデジタル放送の受信に必要な装置を示した図。
【図９】放送事業者が、従来、デジタル放送番組を作成して、視聴者に提供し、視聴者が視聴するまでの流れを示したフロー図。
【図１０】従来のデータ変換装置及びテスト用専用受信機を用いて実施されるコンテンツテストシステムの構成を示した図。
【図１１】従来の擬似送信設備を用いて実施されるコンテンツテストシステムの構成を示した図。
【図１２】従来のパーソナルコンピュータを用いて実施されるコンテンツテストシステムの構成を示した図。
【符号の説明】
１  データ放送コンテンツ制作システム
２  デジタル放送送出システム
３  デジタル記録媒体書込装置
４  表番組・番組情報蓄積装置
５  分離装置
６  データ放送コンテンツ再生システム
７  デジタル記録媒体
８  デジタル記録媒体再生装置
９  デジタル放送用受信機
１０  テレビモニタ
２０  データ放送送出システム
２１  連動制御部
２２  表番組記録部
２３  番組情報生成部
２４  多重化処理部
７０  データ変換装置
７１  テスト用専用受信機
８０  擬似送信設備
９０  パーソナルコンピュータ
２００  データ放送スケジュール管理部
２０１  データ放送素材蓄積部
２０２  カルーセル送出部
２０３  イベントメッセージ挿入部
２０４  ＰＥＳ番組素材蓄積部
２０５  ストリーム送出部
９０１  データ放送コンテンツ制作プログラム
９０２  データ放送コンテンツテストプログラム
【図１】
2004241941.tif 000003
【図２】
2004241941.tif 000004
【図３】
2004241941.tif 000005
【図４】
2004241941.tif 000006
【図５】
2004241941.tif 000007
【図６】
2004241941.tif 000008
【図７】
2004241941.tif 000009
【図８】
2004241941.tif 000010
【図９】
2004241941.tif 000011
【図１０】
2004241941.tif 000012
【図１１】
2004241941.tif 000013
【図１２】
2004241941.tif 000014